(57)【要約】【課題】より確実にかご室に取り付けることができるエレベータかご内手摺を得る。【解決手段】かご室１の横壁１４に取り付けられる固定用部材２１と、かご室１の内側に設けられ、固定用部材２１に支持される手摺本体２２とを備え、固定用部材２１は、かご室１の外側に配置される裏板部２１３と、裏板部２１３と一体に形成され、裏板部２１３がかご室１の外側に配置された場合に裏板部２１３から横壁１４に形成された貫通孔１４１を貫通してかご室１の内側まで延びる延部２１４とを有し、裏板部２１３は、貫通孔１４１を通ってかご室１の内側から外側へ移動可能となっている。【選択図】図２
2015078038.tif 000002
【特許請求の範囲】
【請求項１】
かご室の壁に取り付けられる固定用部材と、
前記かご室の内側に設けられ、前記固定用部材に支持される手摺本体と
を備え、
前記固定用部材は、前記かご室の外側に配置される裏板部と、前記裏板部と一体に形成され、前記裏板部が前記かご室の外側に配置された場合に前記裏板部から前記壁に形成された貫通孔を貫通して前記かご室の内側まで延びる延部とを有し、
前記裏板部は、前記貫通孔を通って前記かご室の内側から外側へ移動可能となっていることを特徴とするエレベータかご内手摺。
【請求項２】
前記固定用部材は、前記延部と一体に形成され前記かご室の内側に配置される係合部をさらに有し、
前記手摺本体は、前記壁と前記係合部との間に設けられ前記係合部と係合する被係合部を有し、
前記被係合部の厚さ方向の寸法は、前記裏板部と前記係合部との間の寸法から前記壁の厚さ方向の寸法を減じた値となっていることを特徴とする請求項１に記載のエレベータかご内手摺。
【請求項３】
かご室の壁に取り付けられる固定用部材と、前記固定用部材に支持される手摺本体とを備え、前記固定用部材は、前記かご室の外側に配置される裏板部と、前記裏板部と一体に形成され、前記裏板部が前記かご室の外側に配置された場合に前記裏板部から前記壁に形成された貫通孔を貫通して前記かご室の内側まで延びる延部とを有し、前記裏板部は、前記貫通孔を通って前記かご室の内側から外側へ移動可能となっているエレベータかご内手摺の取付方法であって、
前記貫通孔を通って前記裏板部を前記かご室の内側から外側へ移動させて、前記固定用部材を前記壁に取り付ける固定用部材取付工程と、
前記固定用部材取付工程の後、前記手摺本体を前記固定用部材に取り付ける手摺本体取付工程と
を備えたことを特徴とするエレベータかご内手摺の取付方法。
【発明の詳細な説明】
【技術分野】
【０００１】
この発明は、エレベータのかごに取り付けられるエレベータかご内手摺およびその取付方法に関する。
【背景技術】
【０００２】
従来、かご室の外側に設けられる補強板と、かご室の内側に設けられ、補強板との間にかご室の壁が挟まれるように配置される手摺本体と、補強板と手摺本体とを連結する連結部材を備えたエレベータかご内手摺が知られている（例えば、特許文献１参照）。
【先行技術文献】
【特許文献】
【０００３】
【特許文献１】特開平７−３３３６６号公報
【発明の概要】
【発明が解決しようとする課題】
【０００４】
しかしながら、かご室の外側に補強板を設置するためには、作業者がかご室の周囲に進入しなければならず、かご室の周囲に作業者が進入することができるスペースが無い場合には、エレベータかご内手摺をかご室に取り付けることができないという問題点があった。
【０００５】
この発明は、より確実にかご室に取り付けることができるエレベータかご内手摺およびその取付方法を提供するものである。
【課題を解決するための手段】
【０００６】
この発明に係るエレベータかご内手摺は、かご室の壁に取り付けられる固定用部材と、かご室の内側に設けられ、固定用部材に支持される手摺本体とを備え、固定用部材は、かご室の外側に配置される裏板部と、裏板部と一体に形成され、裏板部がかご室の外側に配置された場合に裏板部から壁に形成された貫通孔を貫通してかご室の内側まで延びる延部とを有し、裏板部は、貫通孔を通ってかご室の内側から外側へ移動可能となっている。
【発明の効果】
【０００７】
この発明に係るエレベータかご内手摺によれば、裏板部が、壁の貫通孔を通ってかご室の内側から外側へ移動可能となっているので、壁の貫通孔を通って裏板部をかご室の内側から外側へ移動させて、裏板部をかご室の外側に配置することができる。これにより、作業者がかご室の周囲に進入することなく、裏板部をかご室の外側に配置することができる。その結果、エレベータかご内手摺をより確実にかご室に取り付けることができる。
【図面の簡単な説明】
【０００８】
【図１】この発明の実施の形態１に係るエレベータかごを示す平面図である。
【図２】図１の手摺の要部を示す斜視図である。
【図３】図２の固定用部材を示す側面図である。
【図４】図３の固定用部材を示す平面図である。
【図５】図２の横壁を示す正面図である。
【図６】図５の横壁に固定用部材が取り付けられる様子を示す平面図である。
【図７】図３の固定用部材の変形例を示す斜視図である。
【図８】図３の固定用部材の変形例を示す斜視図である。
【図９】図３の固定用部座の変形例を示す斜視図である。
【図１０】この発明の実施の形態２に係る手摺の要部を示す斜視図である。
【図１１】図１０の固定用部材および横壁を示す断面図である。
【図１２】図１１のブラケット部を示す断面図である。
【発明を実施するための形態】
【０００９】
実施の形態１．
図１はこの発明の実施の形態１に係るエレベータかごを示す平面図である。エレベータかごは、かご室１と、かご室１に設けられた一対の手摺（エレベータかご内手摺）２とを備えている。
【００１０】
かご室１は、出入口１１を形成する一対の袖壁１２と、それぞれの袖壁１２に対向して配置された後壁１３と、袖壁１２と後壁１３との間に設けられ、互いに対向する一対の横壁１４とを有している。手摺２は、一対の横壁１４のそれぞれに取り付けられている。なお、手摺２は、横壁１４に限らず、例えば、袖壁１２または後壁１３に取り付けられてもよい。
【００１１】
それぞれの手摺２は、横壁１４に穿設された貫通孔１４１を貫通して取り付けられた一対の固定用部材２１と、かご室１の内側に設けられ、固定用部材２１に支持された手摺本体２２とを備えている。一対の固定用部材２１は、横壁１４の幅方向に離れて配置されている。手摺本体２２は、手摺本体２２の両端部がそれぞれの固定用部材２１に取り付けられている。
【００１２】
図２は図１の手摺２の要部を示す斜視図である。手摺２は、固定用部材２１を横壁１４に固定するための複数のねじ２３をさらに備えている。ねじ２３は、先端部がかご室１の外側を向くようにして横壁１４に取り付けられる。つまり、ねじ２３は、かご室１の内側から横壁１４に取り付けられる。
【００１３】
手摺本体２２は、ねじ（図示せず）を用いて固定用部材２１に取り付けられるブラケット部２２１と、ブラケット部２２１に固定された手摺部２２２とを有している。ブラケット部２２１は、断面コ字状に形成されたブラケット部本体２２３と、ブラケット部本体２２３に一体に形成された一対の被係合部２２４とを有している。被係合部２２４は、断面コ字状に形成されたブラケット部本体２２３における両端部に一体に形成され、さらに、互いに対向する方向に延びて形成されている。ブラケット部本体２２３には、ブラケット部２２１を固定用部材２１に取り付ける際に用いられるねじが貫通する貫通孔２２５が形成されている。
【００１４】
図３は図２の固定用部材２１を示す側面図、図４は図３の固定用部材２１を示す平面図である。固定用部材２１は、一対の固定片２１１と、それぞれの固定片２１１を連結する蝶番２１２とを有している。
【００１５】
それぞれの固定片２１１は、かご室１（図１）の外側に配置される裏板部２１３と、裏板部２１３と一体に形成され、裏板部２１３がかご室１の外側に配置された場合に裏板部２１３から横壁１４に形成された貫通孔１４１（図２）を貫通してかご室１の内側まで延びる延部２１４と、延部２１４と一体に形成されかご室１の内側に配置される係合部２１５とを有している。それぞれの裏板部２１３は、蝶番２１２を中心に回動することによって、貫通孔１４１を通ってかご室１の内側から外側へ移動可能となっている。
【００１６】
裏板部２１３には、ねじ２３（図２）が挿入されるねじ孔２１６が形成されている。ねじ孔２１６にねじ２３が挿入されることによって、裏板部２１３が横壁１４に取り付けられる。これにより、固定用部材２１が横壁１４に取り付けられる。
【００１７】
係合部２１５には、貫通孔２２５（図２）に挿入されるねじが挿入されるねじ孔２１７が形成されている。ねじ孔２１７にねじが挿入されることによって、ブラケット部２２１が係合部２１５に取り付けられる。これにより、手摺本体２２が固定用部材２１に取り付けられる。
【００１８】
次に、手摺２の取付方法について説明する。図５は図２の横壁１４を示す正面図、図６は図５の横壁１４に固定用部材２１が取り付けられる様子を示す平面図である。まず、横壁１４に固定用部材２１（図２）を挿入するための貫通孔１４１およびねじ２３（図２）が挿入される貫通孔１４２を形成する（貫通孔形成工程）。
【００１９】
その後、一対の裏板部２１３が重ねられた状態で、裏板部２１３を貫通孔１４１に挿入し、さらに、蝶番２１２を中心にそれぞれの裏板部２１３を回動させて、裏板部２１３を横壁１４の外側面に面接触させる。その後、ねじ２３を用いて、裏板部２１３を横壁１４に取り付けて、固定用部材２１を横壁１４に取り付ける（固定用部材取付工程）。
【００２０】
その後、被係合部２２４を係合部２１５に係合させ、ねじを用いて手摺本体２２を固定用部材２１に取り付ける（手摺本体取付工程）。以上により、手摺２の取付手順が終了する。
【００２１】
以上説明したように、この発明の実施の形態１に係る手摺２によれば、裏板部２１３が、横壁１４の貫通孔１４１を通ってかご室１の内側から外側へ移動可能となっているので、横壁１４の貫通孔１４１を通って裏板部２１３をかご室の１内側から外側へ移動させて、裏板部２１３をかご室１の外側に配置することができる。これにより、作業者がかご室１の周囲に進入することなく、裏板部２１３をかご室１の外側に配置することができる。その結果、手摺２をより確実にかご室１に取り付けることができる。
【００２２】
また、この発明の実施の形態１に係る手摺２の取付方法によれば、横壁１４に形成された貫通孔１４１を通って裏板部２１３をかご室１の内側から外側へ移動させて、固定用部材２１を横壁１４に取り付ける固定用部材取付工程と、固定用部材取付工程の後、手摺本体２２を固定用部材２１に取り付ける手摺本体取付工程とを備えているので、横壁１４の貫通孔１４１を通って裏板部２１３をかご室１の内側から外側へ移動させて、裏板部２１３をかご室１の外側に配置することができる。これにより、作業者がかご室１の周囲に進入することなく、裏板部２１３をかご室１の外側に配置することができる。その結果、手摺２をより確実にかご室１に取り付けることができる。
【００２３】
なお、上記実施の形態１では、裏板部２１３と、裏板部２１３と一体に形成された延部２１４と、延部２１４と一体に形成された係合部２１５とを有する固定用部材２１の構成について説明したが、これに限らず、例えば、図７に示すように、裏板部２１３と、裏板部２１３と一体に形成された延部２１４とを有し、延部２１４の周囲にねじ溝が形成された固定用部材２１の構成であってもよい。一対の延部２１４は、互いに重なることによって、一方のねじ棒を構成する。この場合、ブラケット部２２１は、延部２１４のねじ溝を係合するナット（図示せず）を有する。ナットが延部２１４に取り付けられることによって、手摺本体２２が固定用部材２１に取り付けられる。
【００２４】
また、図８に示すように、裏板部２１３と、裏板部２１３と一体に形成された延部２１４とを有し、裏板部２１３が横壁１４に取り付けられた場合に、それぞれの延部２１４が横壁１４に対して傾斜して、一対の延部２１４がＶ字を形成するように配置される固定用部材２１であってもよい。この場合、それぞれの延部２１４には、ブラケット部本体２２３の貫通孔２２５に挿入されるねじが挿入されるねじ孔２１８が形成される。
【００２５】
また、図９に示すように、裏板部２１３と、裏板部２１３と一体に形成された延部２１４とを有し、一対の延部２１４がブラケット部２２１を挟む構成であってもよい。この場合、それぞれの延部２１４には、ブラケット部本体２２３の貫通孔２２５に挿入されるねじが挿入されるねじ孔２１８が形成される。
【００２６】
実施の形態２．
図１０はこの発明の実施の形態２に係る手摺の要部を示す斜視図、図１１は図１０の固定用部材２１および横壁１４を示す断面図、図１２は図１１のブラケット部２２１を示す断面図である。実施の形態１と異なり、手摺２は、ねじ２３を備えていない。したがって、横壁１４には、ねじ２３が挿入される貫通孔１４２が形成されていない。
【００２７】
被係合部２２４の厚さ方向の寸法Ｂは、裏板部２１３と係合部２１５との間の寸法から横壁１４の厚さ方向の寸法を減じた値Ａとなっている。その他の構成は、実施の形態１と同様である。
【００２８】
以上説明したように、この発明の実施の形態２に係る手摺２によれば、被係合部２２４の厚さ方向の寸法Ｂは、裏板部２１３と係合部２１５との間の寸法から横壁１４の厚さ方向の寸法を減じた値Ａとなっているので、係合部２１５と被係合部２２４とを係合させることによって、固定用部材２１が横壁１４に取り付けられる。その結果、固定用部材２１を横壁１４に取り付ける際にねじを用いることが不要となり、固定用部材２１の取付を容易に行うことができ、また、ねじを挿入するための貫通孔を横壁１４に形成する必要がなくなるので、手摺２の取付を容易に行うことができるとともに、横壁１４の強度を向上させることができる。
【符号の説明】
【００２９】
１  かご室、２  手摺（エレベータかご内手摺）、１１  出入口、１２  袖壁、１３  後壁、１４  横壁、２１  固定用部材、２２  手摺本体、２３  ねじ、１４１  貫通孔、１４２  貫通孔、２１１  固定片、２１２  蝶番、２１３  裏板部、２１４  延部、２１５  係合部、２１６  ねじ孔、２１７  ねじ孔、２１８  ねじ孔、２２１  ブラケット部、２２２  手摺部、２２３  ブラケット部本体、２２４  被係合部、２２５  貫通孔。
【図１】
2015078038.tif 000003
【図２】
2015078038.tif 000004
【図３】
2015078038.tif 000005
【図４】
2015078038.tif 000006
【図５】
2015078038.tif 000007
【図６】
2015078038.tif 000008
【図７】
2015078038.tif 000009
【図８】
2015078038.tif 000010
【図９】
2015078038.tif 000011
【図１０】
2015078038.tif 000012
【図１１】
2015078038.tif 000013
【図１２】
2015078038.tif 000014